(57)【要約】【課題】換気により生じた圧力差によりドアが開き難くなる事態を是正する構造を、容易且つ適切にドアに備えさせることができるようにする。【解決手段】ドアＤに取り付けられてこのドアＤにドアハンドル１’等のドア操作体１を備え付けさせるドア操作装置Ｈである。ドアＤを挟んだ一方側の空間Ｓａと他方側との空間Ｓｂとを連通させる通気部２３を備えた装置本体２に、ドア操作体１のドアＤを開放させる操作に連動してこの通気部２３の閉鎖を解く位置に移動されるこの通気部２３の閉鎖部材２４を内蔵させてなる。【選択図】図４
2010156146.tif 000002
【特許請求の範囲】
【請求項１】
ドアに取り付けられてこのドアにドアハンドル等のドア操作体を備え付けさせるドア操作装置であって、
ドアを挟んだ一方側の空間と他方側との空間とを連通させる通気部を備えた装置本体に、ドア操作体のドアを開放させる操作に連動してこの通気部の閉鎖を解く位置に移動されるこの通気部の閉鎖部材を内蔵させてなることを特徴とするドア操作装置。
【請求項２】
通気部の入り口を、ドアの外面との間に通気隙間を開けて覆う目隠し体を備えてなることを特徴とする請求項１に記載のドア操作装置。
【請求項３】
ドア操作体のドアを開放させる操作に連動して閉鎖部材が通気部の通気方向に対し交叉する向きに移動してこの通気部の閉鎖を解くようになっていることを特徴とする請求項１又は請求項２に記載のドア操作装置。
【発明の詳細な説明】
【技術分野】
【０００１】
この発明は、ドアに取り付けられてこのドアにドアハンドル、ドアノブ等のドア操作体を備え付けさせるドア操作装置の改良に関する。
【背景技術】
【０００２】
住宅の玄関ドアなどにあっては、換気により住宅内外に圧力差が生じていると、これを開くために比較的大きな力を要することが少なくない。ドアを開くに先だってドアを挟んだ一方側の空間と他方側との空間とを通気させるようにすれば、この圧力差を是正してドアを開きやすくすることができる。
【０００３】
このような技術として、ドアノブの近傍に配されたツマミを操作すると扉と床の隙間を塞ぐ気密材が上方に移動するようにしたものがある。（特許文献１参照）
また、ドアノブの操作によりドアの下部に設けられた換気口を塞ぐ換気ドアを換気口を開く向きに回動させるようにしたものがある。（特許文献２参照）
また、ドアに設けられたプッシュプル錠を操作するとドアのヒンジ側に設けられた圧力差緩和機構により内外の通気がなされるようにしたものがある。（特許文献３参照）
【０００４】
しかし、これらのものはいずれも、ドアの下部やヒンジの設けられた側に別途の造作を必要とさせると共に、ドアノブなどの操作に連係して通気を確保する機構を動作させるためのリンクロッドなどをドア内に配させることを必要とさせるものであった。
【特許文献１】特開２００６−５７３６４号公報
【特許文献２】特公平４−６６９８８号公報
【特許文献３】特開２００６−３２２２６４号公報
【発明の開示】
【発明が解決しようとする課題】
【０００５】
この発明が解決しようとする主たる問題点は、換気により生じた圧力差によりドアが開き難くなる事態を是正する構造を、容易且つ適切にドアに備えさせることができるようにする点にある。
【課題を解決するための手段】
【０００６】
前記課題を達成するために、この発明にあっては、ドア操作装置を、ドアに取り付けられてこのドアにドアハンドル等のドア操作体を備え付けさせるドア操作装置であって、
ドアを挟んだ一方側の空間と他方側との空間とを連通させる通気部を備えた装置本体に、ドア操作体のドアを開放させる操作に連動してこの通気部の閉鎖を解く位置に移動されるこの通気部の閉鎖部材を内蔵させてなるものとした。
【０００７】
かかる構成によれば、通常は閉鎖部材により通気部を閉鎖させてドアの気密性を確保させることができる。一方、ドアを開くときはこの通気部の閉鎖を解いてドアを挟んだ一方側の空間と他方側との空間とに気圧差がある場合でも、ドア操作体の操作をきっかけにしてこの気圧差を急速に減じさせてドアを開く力を小さなものとすることができる。特に、かかるドア操作装置は、既設のドアや、既存のドアに備えさせることにより、これらのドアに上記機能を容易に付与し得る特長を有している。
【０００８】
前記通気部を、装置本体における上下方向又は左右方向に複数箇所、または、装置本体における上下方向又は左右方向に連続して、形成させるようにしておけば、ドアと組み合わされるドア操作装置のスペース内にできるだけ通気流量を大きくさせる態様で通気部を合理的に形成させることができ、ドア操作体の操作をきっかけにして前記気圧差があるときはこの差を急速に減じさせることができる。
【０００９】
また、前記通気部の入り口を、ドアの外面との間に通気隙間を開けてこのドアに外装される目隠し体により覆われるようにしておけば、かかる通気隙間を通じた通気を確保しつつ、通気部がドアの外観性などに影響を与えることがないようにすることができる。
【００１０】
また、ドア操作体のドアを開放させる操作に連動して閉鎖部材が通気部の通気方向に対し交叉する向きに移動してこの通気部の閉鎖を解くようにしておけば、ドアを挟んだ一方側の空間と他方側との空間とに気圧差があるときにこの気圧差によって閉鎖部材に作用される力の向きと逆向きに閉鎖部材を移動させる場合に比べて、比較的スムースに閉鎖部材を移動させて通気部の閉鎖を解くことができる。
【発明の効果】
【００１１】
この発明にかかるドア操作装置によれば、これをドアに単純に組み合わさせるだけで、このドアに換気により生じた圧力差によりドアが開き難くなる事態を是正する機能を、容易且つ適切に備えさせることができる。
【発明を実施するための最良の形態】
【００１２】
以下、図１〜図１４に基づいて、この発明の典型的な実施の形態について説明する。なお、ここで図１〜図７はドア操作装置Ｈの第一例を、図８及び図９はドア操作装置Ｈの第二例を、図１０〜図１４はドア操作装置Ｈの第三例を、それぞれ示している。
【００１３】
この実施の形態にかかるドア操作装置Ｈは、ドアＤに取り付けられてこのドアＤにドアハンドル、ドアノブ等のドア操作体１を備え付けさせるものである。すなわち、かかるドア操作装置Ｈは、ドアＤのヒンジ側Ｄａと反対の側の自由端Ｄｂ側に形成されたドア操作体１の取付部Ｄｃを利用してこのドアＤに取り付けられる装置本体２と、この装置本体２に備えられるドア操作体１とを備えている。
【００１４】
かかる取付部Ｄｃは、ドアＤの自由端Ｄｂに開口Ｄｄを配してドアＤの内方に続く空所として形成される。装置本体２は、この取付部Ｄｃに納められるケース状をなす。装置本体２の幅広の一面２０がドアＤの一面の内方にこの一面と平行をなすように位置され、装置本体２の幅広の他面２０がドアＤの他面の内方にこの他面と平行をなすように位置され、さらに装置本体２における側端部２１の一方が取付部Ｄｃの開口を塞いでドアＤの自由端Ｄｂ部の一部となる。ドア操作体１は典型的には図３に示されるように取付部Ｄｃに連通するこのドア操作体１の支持部１０の通し孔を通じてドアＤの一面側と他面側とにそれぞれ備えられる。装置本体２の側端部２１の一方からは図示しないドア枠に設けられたストライクに対するラッチボルト２２が突出され、ドア操作体１をドアＤを開放させる向きに操作するとラッチボルト２２は装置本体２内に引き込まれ、ドアＤの開放が許容されるようになる。
【００１５】
この実施の形態にかかるドア操作装置Ｈは、通常はドアＤの気密性を確保しつつ、ドアＤを開くときはドアＤを挟んだ一方側の空間Ｓａと他方側との空間Ｓｂとに気圧差がある場合でも、ドア操作体１の操作をきっかけにしてこの気圧差を急速に減じさせてドアＤを小さな力で開けるようにするものである。
【００１６】
この実施の形態にかかるドア操作装置Ｈはいずれも、装置本体２にドアＤを挟んだ一方側の空間Ｓａと他方側との空間Ｓｂとを連通させる通気部２３を備えさせている。ドアＤにはこの通気部２３に連通する通気孔Ｄｆが形成される。それと共に、この装置本体２に、ドア操作体１のドアＤを開放させる向きの操作に連動してこの通気部２３の閉鎖を解く位置に移動されるこの通気部２３の閉鎖部材２４を内蔵させている。
【００１７】
これにより、この実施の形態にかかるドア操作装置Ｈにあっては、通常は閉鎖部材２４により通気部２３を閉鎖させてドアＤの気密性を確保させることができる。一方、ドアＤを開くときはこの通気部２３の閉鎖を解いてドアＤを挟んだ一方側の空間Ｓａと他方側との空間Ｓｂとに気圧差がある場合でも、ドア操作体１の操作をきっかけにしてこの気圧差を急速に減じさせてドアＤを小さな力で開けることができる。特に、かかるドア操作装置Ｈは、既設のドアＤや、既存のドアＤに備えさせることにより、これらのドアＤに上記機能を容易に付与し得る特長を有している。
【００１８】
ドアＤを挟んだ一方側の空間Ｓａと他方側との空間Ｓｂとに気圧差がある場合としては、典型的には、第三種換気により建物の内部が外部よりも低圧になっている場合があげられる。あるいはまた、第三種換気により建物の内部にある一つの部屋がドアＤによりこの一つの部屋と仕切られるこの一つの部屋に隣接した空間よりも低圧になっている場合があげられる。
【００１９】
また、前記第一例及び第二例にかかるドア操作装置Ｈにあっては前記通気部２３が、装置本体２における上下方向に複数箇所形成されている。また、前記第三例にかかるドア操作装置Ｈにあっては前記通気部２３が、装置本体２における上下方向に連続して、形成されている。これにより、この実施の形態にかかるドア操作装置Ｈにあっては、ドアＤと組み合わされるドア操作装置Ｈのスペース内にできるだけ通気流量を大きくさせる態様で通気部２３を合理的に形成させることができ、ドア操作体１の操作をきっかけにして前記気圧差があるときはこの差を急速に減じさせるようになっている。
【００２０】
また、前記第一例〜第三例にかかるドア操作装置Ｈにあってはいずれも、前記通気部２３の入り口が、ドアＤの外面Ｄｇとの間に通気隙間Ｄｈを開けてこのドアＤに外装される目隠し体３により覆われるようになっており、かかる通気隙間Ｄｈを通じた通気を確保しつつ、通気部２３がドアＤの外観性などに影響を与えることがないようになっている。
【００２１】
（第一例）
第一例にかかるドア操作装置Ｈは、装置本体２は、ラッチボルト２２の突出される側端部２１と、この側端部２１に対向するドアＤの中央側に位置される側端部２１’との間において、上部中央に符号２５１で示す回動部材を内蔵し、この回動部材２５１とドアＤの中央側に位置される側端部２１’との間に閉鎖部材２４を内蔵している。通気部２３は、回動部材２５１とドアＤの中央側に位置される側端部２１’との間において、上下方向に間隔を開けて、三箇所形成されている。かかる通気部２３は、装置本体２の一面２０を構成する板体と、装置本体２の他面２０を構成する板体にそれぞれ、貫通孔２３ａを形成させることで形成されている。各貫通孔２３ａは、孔形状を左右方向に長辺を沿わせる長方形状とすると共に、装置本体２の一面２０側の各貫通孔２３ａの真後ろにこれに対応する他面２０側の貫通孔２３ａが位置されるようになっている。
【００２２】
回動部材２５１は、ドアＤの肉厚方向に回動中心軸を配するようにして装置本体２に支持されている。この回動部材２５１は中心部２５１ａと、この中心部２５１ａから上方に突き出す上部アーム２５１ｂと、この中心部２５１ａから下方に突き出す下部アーム２５１ｃと、この中心部２５１ａから閉鎖部材２４の側に向けて突き出す連係アーム２５１ｄとを備えている。回動部材２５１の中心部２５１ａには方形孔が形成されており、図中符号１１で示すレバーハンドル１’の固定軸がこの方形孔に通されて装置本体２の一面２０側と他面２０側とにそれぞれドア操作体１としてのレバーハンドル１’が備え付けられるようになっている。回動部材２５１の上部アーム２５１ｂは図中符号２５２で示すラッチボルト用バネの付勢により突出位置に位置づけられるラッチボルト２２に連係されて通常は縦向きに位置づけられ、かつ、下部アーム２５１ｃは図中符号２５３で示す補助バネにより閉鎖部材２４側に付勢されて通常は縦向きに位置づけられ、このように位置づけられる回動部材２５１によってレバーハンドル１’は基準位置に位置づけられる。（図４）基準位置にあるレバーハンドル１’を操作すると、前記両バネ２５２、２５３の付勢に抗して回動部材２５１は回動され、ラッチボルト２２は引き込まれ、かつ、通気部２３を閉鎖していた閉鎖部材２４が前記連係アーム２５１ｄの移動により下方に移動されてこの閉鎖を解くようになっている。（図６）この第一例では、ドアＤを挟んだ一方側の空間Ｓａと他方側との空間Ｓｂとに気圧差があるときにこの気圧差によって閉鎖部材２４に作用される力の向きに直交する下方にレバーハンドル１’の操作により閉鎖部材２４が移動されるようになっていることから、この力の作用される方向と逆向きに閉鎖部材２４を移動させる場合に比べて、比較的スムースに閉鎖部材２４を移動させて通気部２３の閉鎖を解くことができる。すなわち、この例では、ドア操作体１のドアＤを開放させる操作に連動して閉鎖部材２４が通気部２３の通気方向ｘに対し交叉する向きに移動してこの通気部２３の閉鎖を解くようになっている。
【００２３】
閉鎖部材２４は、装置本体２の内部に上下方向にスライド移動するようにして納められている。閉鎖部材２４は、装置本体２の一面２０を構成する板体の内面と、他面２０を構成する板体の内面との間に密に納まる厚さを備えた板状をなす。この閉鎖部材２４には、装置本体２に形成された通気部２３となる各貫通孔２３ａに、この閉鎖部材２４の下降前位置では連通せず、かつ、下降終了位置で連通する貫通孔２４ａが形成されている。回動部材２５１の連係アーム２５１ｄは、閉鎖部材２４におけるこの回動部材２５１の側にある側部に形成された連係凹所２４ｂにそのアーム端を入れ込ませて、閉鎖部材２４と連係されている。そして、レバーハンドル１’が基準位置にあるときは連係アーム２５１ｄによって閉鎖部材２４は下降前位置に位置づけられて、装置本体２の一面２０側の貫通孔２３ａと他面２０側の貫通孔２３ａとの間に閉鎖部材２４の貫通孔２４ａの形成されていない箇所が入り込み、通気部２３はこの閉鎖部材２４により閉鎖されるようになっている。（図４）基準位置にあるレバーハンドル１’を操作すると回動部材２５１の回動により連係アーム２５１ｄのアーム端が下方に移動し、これにより閉鎖部材２４が下降終了位置に移動されて、装置本体２の一面２０側の貫通孔２３ａと他面２０側の貫通孔２３ａとの間に閉鎖部材２４の貫通孔２４ａが位置され、通気部２３の閉鎖が解かれるようになっている。（図６）
【００２４】
また、この第一例では、目隠し体３は、上下方向に長い略長方形の板状体として構成されている、目隠し体３の長さは装置本体２の上下寸法よりも長く、目隠し体３は、装置本体２の上端部よりも上方に位置される箇所と下端部よりも下方に位置される箇所をもって、ドアＤに取り付けられるようになっている。目隠し体３におけるドアＤの外面Ｄｇに向けられる側には、このドアＤの外面Ｄｇと目隠し体３の面との間に通気隙間Ｄｈを形成させるための複数のスペーサ部３０が備えられている。
【００２５】
（第二例）
第二例にかかるドア操作装置Ｈは、回動部材２５１と閉鎖部材２４との連係を解除できるように構成された点で第一例のドア操作装置Ｈと異なっている。その余の点では第二例にかかるドア操作装置Ｈは第一例にかかるドア操作装置と実質的に同一であるので、その説明は省略する。この第二例では、閉鎖部材２４は、貫通孔２４ａの形成されたメインパーツ２４ｃと、このメインパーツ２４ｃに対して左右方向にスライド移動可能に組み合わされたサブパーツ２４ｄとから構成されている。そして、このサブパーツ２４ｄに回動部材２５１の連係アーム２５１ｄのアーム端に対する連係凹所２４ｂが形成されている。これによりこの第二例にあっては、サブパーツ２４ｄの連係凹所２４ｂに連係アーム２５１ｄのアーム端を入れ込ませた連係状態から、この連係凹所２４ｂよりアーム端を抜け出させる向きにサブパーツ２４ｄをスライド移動させることにより、レバーハンドル１’を操作しても閉鎖部材２４が移動されないようにすることができる。（図９）
【００２６】
この第二例にあっては、かかるサブパーツ２４ｄは、装置本体２の一面２０側又は他面２０側を構成する板体に形成された割溝２６１に案内されると共に、この割溝２６１とこれに連通するドアＤに形成される図示しない貫通孔とを通じて外端を外方に突き出す軸部２４ｅを備えている。かかる割溝２６１は、第一縦溝部２６１ａと、第二縦溝部２６１ｂと、この第一縦溝部２６１ａの上端と第二縦溝部２６１ｂの上端との間に亘る横溝部２６１ｃとを備えている。第一縦溝部２６１ａが回動部材２５１に近い側にある。第一縦溝部２６１ａの上端に軸部２４ｅがある状態から軸部２４ｅの外端を摘むなどして横溝部２６１ｃを通じて軸部２４ｅを第二縦溝部２６１ｂ内に移動させる操作を行うと、サブパーツ２４ｄは回動部材２５１から離れる向きに移動され、回動部材２５１の連係凹所２４ｂから連係アーム２５１ｄのアーム端が抜け出しレバーハンドル１’と閉鎖部材２４との連係が解かれる。図示の例では、この状態からさらに、第二縦溝部２６１ｂの下端に向けて軸部２４ｅを移動操作すると、サブパーツ２４ｄ共々メインパーツ２４ｃが下方に移動され閉鎖部材２４が下降終了位置に至るようになっている。これにより図示の例では、レバーハンドル１’の操作にかかわらず、常時通気部２３の閉鎖状態が解かれた状態を作り出すこともできるようになっている。（図９）
【００２７】
（第三例）
第三例にかかるドア操作装置Ｈは、装置本体２は、ドアＤの左右方向にスライド移動可能に装置本体２に内蔵される閉鎖部材２４としてのスライド体２４ｆと、ドア操作体１としてのハンドルバー１”の操作によりドアＤの厚さ方向にスライド移動可能に組み合わされた連動バー２７２とを備えている。
【００２８】
ハンドルバー１”は、装置本体２の一面２０側および他面２０側においてそれぞれ備えられた上下一対の軸受け部２７３、２７３間に亘るように設けられている。ハンドルバー１”は左右方向に長い水平断面を有し、その一端側において軸受け部２７３に上下方向に軸線を配した軸体１２をもって回動可能に組み合わされている。ハンドルバー１”の他端はドアＤの中央側に向けられている。
【００２９】
連動バー２７２は、装置本体２の内部を通じてバー両端をそれぞれ装置本体２外に延出させると共に、装置本体２の一面２０側のハンドルバー１”の両端間にバー一端を回動可能に組み付け、かつ、装置本体２の他面側のハンドルバー１”の両端間にバー他端を回動可能に組み付け、いずれのハンドルバー１”を操作してもドアＤの厚さ方向へのスライド移動を生じるようになっている。
【００３０】
通気部２３は、装置本体２におけるドアＤの中央側に近い箇所に形成されている。この通気部２３は、装置本体２に上下方向に長く形成されている。この通気部２３の装置本体２の一面２０側（図１１における下側）の入り口は、装置本体２の他面側の入り口よりもドアＤの自由端Ｄｂ側から遠い位置にあり、通気部２３は装置本体２の一面２０側の入り口からドアＤの肉厚方向略中程の位置までの間に亘る第一流路２３ｄと、装置本体２の他面２０側の入り口からドアＤの肉厚方向略中程の位置までに亘る第二流路２３ｂとを、この肉厚方向略中程の位置で上下方向に長い連絡流路２３ｅによって連絡させてなる。これによりこの例では、通気部２３がドアＤの肉厚方向に沿って真っ直ぐに続いていないことから、この通気部２３を利用して室内側にドアＤの施錠を解く工具などを入れ込むことが難しくなっている。かかる通気部２３の入り口も、上下方向に長い板状の目隠し体３によって通気隙間Ｄｈを作った状態で覆われている。図中符号３０で示すのはこの通気隙間Ｄｈを作るスペーサー部である。
【００３１】
スライド体２４ｆは、ラッチボルト２２の備えられた外端部２４ｇと、通気部２３の連絡流路２３ｅに対する弁体２４ｉの備えられた内端部２４ｈとを有している。スライド体２４ｆの内端部２４ｈは、第二流路２３ｂを形成するドアＤの自由端Ｄｂ側に位置される壁部に形成された貫通孔２３ｃを通じて通気部２３内に入り込む。そして、このスライド体２４ｆの内端部２４ｈの端末には第一流路２３ｄの側から連絡流路２３ｅの内壁に着座して通気部２３を閉鎖する上下方向に長い弁体２４ｉが形成されている。
【００３２】
図中符号２７４で示されるのはラッチボルト２２をスライド体２４ｆの外端部２４ｇから突出させる向きに常時付勢するラッチボルト用バネである。一方、スライド体２４ｆは装置本体２の内部に形成されたドアＤの自由端側Ｄｂに向いたバネ押さえ部２７５と、このスライド体２４ｆの外端側に形成されてドアＤの中央側に向いたバネ押さえ部２４ｊとの間に介装された圧縮コイルバネ２７６により前記弁体２４ｉを連絡流路２３ｅの内壁に着座させる位置に通常は位置づけられるようになっている。（図１１）
【００３３】
装置本体２の内部には、スライド体２４ｆの中間部に形成されたラック２４ｋに噛み合う第一ギヤ部２７７ｂと、連動バー２７２の中間部に形成されたラック２７２ａに噛み合う第二ギヤ部２７７ａとを上下に一体に備えたピニオン２７７が回転軸を上下方向に沿わせて配されている。そして、この第三例にあっては、前記圧縮コイルバネ２７６の付勢によりスライド体２４ｆと連動バー２７２とを介してハンドルバー１”が基準位置に位置づけられるようになっている。
【００３４】
この第三例にあっては、ドアＤの一面側（図１１における下側）において基準位置にあるハンドルバー１”を引き操作すると、ピニオン２７７を介してスライド体２４ｆがドアＤの中央側にスライド移動され、これにより連絡流路２３ｅの内壁から弁体２４ｉが離座して通気部２３の閉鎖が解かれるようになっている。なお、この例では、ドアＤの他面２０（図１１における上側）側においては基準位置にあるハンドルバー１”を押し操作すると通気部２３の閉鎖が解かれるようになっている。例えば、外開きの玄関ドアＤにこの第三例にかかるドア操作装置Ｈを備えさせるときには、ドアＤの屋外側に位置されるハンドルバー１”を引き操作したときに通気部２３の閉鎖が解かれるようにしておく。
【００３５】
図１３に示されるように、前記ピニオン２７７の第一ギヤ部２７７ｂを第二ギヤ部２７７ａよりも大径に構成させておけば、連動バー２７２の移動量に比しスライド体２４ｆを大きく動かしてラッチボルト２２をストライクから抜け出しやすくすることができる。
【００３６】
また、図１４に示されるように、前記ピニオン２７７に変えて、屈曲部２７１ａを装置本体２に回動可能に支持されると共に、屈曲部２７１ａを挟んだ一端２７１ｂをスライド体２４ｆに回動可能に組み付け、他端２７１ｃを連動バー２７２に回動可能に組み付けさせた連係体２７１を用いてスライド体２４ｆとハンドルバー１”とを連係させるようにすることもできる。
【図面の簡単な説明】
【００３７】
【図１】第一例にかかるドア操作装置Ｈの利用状態を示した斜視構成図
【図２】同正面構成図
【図３】同平面構成図
【図４】同断面構成図（通気部２３閉鎖状態）
【図５】図２におけるＡ−Ａ線断面構成図（通気部２３閉鎖状態）
【図６】第一例にかかるドア操作装置Ｈの利用状態を示した断面構成図（通気部２３開放状態）
【図７】図６の状態における図５と同じ位置での断面構成図
【図８】第二例にかかるドア操作装置Ｈの利用状態を示した断面構成図
【図９】同断面構成図（ドア操作体１と閉鎖部材２４との連係を解いた状態）
【図１０】第三例にかかるドア操作装置Ｈの利用状態を示した斜視構成図
【図１１】同水平断面構成図
【図１２】同要部斜視構成図
【図１３】同要部斜視構成図（ピニオン２７７の変更例）
【図１４】同要部平面構成図（ピニオン２７７を連係体２７１に変更した例）
【符号の説明】
【００３８】
Ｄ  ドア
Ｈ  ドア操作装置
Ｓａ、Ｓｂ  空間
１  ドア操作体
１’  ドアハンドル
２  装置本体
２３  通気部
２４  閉鎖部材
【図１】
2010156146.tif 000003
【図２】
2010156146.tif 000004
【図３】
2010156146.tif 000005
【図４】
2010156146.tif 000006
【図５】
2010156146.tif 000007
【図６】
2010156146.tif 000008
【図７】
2010156146.tif 000009
【図８】
2010156146.tif 000010
【図９】
2010156146.tif 000011
【図１０】
2010156146.tif 000012
【図１１】
2010156146.tif 000013
【図１２】
2010156146.tif 000014
【図１３】
2010156146.tif 000015
【図１４】
2010156146.tif 000016